(57)【要約】【課題】浴室や洗面室等の壁面に、棚と、鏡等の他の被支持部材とを作業性よく取り付けることができるとともに、汎用性が高く、棚と、鏡やフック等の他の被支持部材のバリエーションを増やすだけで、コストをあまりかけずに、物品載置棚のバリエーションを増やすことができる棚板支持具を提供することを目的としている。【解決手段】壁面に固定されるとともに、被支持部材の一部が入り込むことによって、被支持部材が支持される支持溝を複数備え、１つの支持溝で支持される被支持部材が少なくとも棚板であることを特徴としている。【選択図】      図４
2008125526.tif 000002
【特許請求の範囲】
【請求項１】
壁面に固定されるとともに、被支持部材の一部が入り込むことによって、被支持部材が支持される支持溝を複数備えることを特徴とする棚板支持具。
【請求項２】
支持溝で支持される被支持部材が少なくとも棚板である請求項１に記載の棚板支持具。
【請求項３】
支持溝の少なくとも１つが、溝の長手方向に連続する溝内壁の一部に溝の底に平行に連続する突部を有するとともに、溝の長手方向の少なくとも一端が開放された支持具本体と、支持具本体の長手方向の開放端を閉鎖する蓋部材と、
を備えている請求項１または請求項２に記載の棚板支持具。
【請求項４】
蓋部材が支持具本体に着脱自在である請求項３に記載の棚板支持具。
【請求項５】
支持具本体が押出成形品である請求項３または請求項４に記載の棚板支持具。
【発明の詳細な説明】
【技術分野】
【０００１】
本発明は、浴室や洗面室の壁面に棚板を取り付けるために用いる棚板支持具に関する。
【背景技術】
【０００２】
浴室や洗面室の壁面に設けられる物品載置棚として、図１０および図１１に示すような構造の物品載置棚１００が従来より用いられている。
図１０および図１１に示すように、この物品載置棚１００は、載置部１０１と固定部１０２とを有する断面略Ｌ字形をした棚本体１１０と、棚本体１１０に載置された物品の落下を防止する側壁部材１２０とを備えている。
【０００３】
そして、この物品載置棚１００は、図１０および図１１に示すように、棚本体１１０の固定部１０２を浴室や洗面室の壁面２００にビス３００によって固定したのち、側壁部材１２０の係止部１２１を固定部１０２の上端に設けられた切欠によって形成される壁面２００との隙間１０４に係合させるようになっている。
【０００４】
一方、浴室や洗面室の壁面には、上記のような物品載置台以外に鏡等も取り付けられるが、鏡の取付構造として、たとえば、図１２に示すように、壁面４００に固定された壁固定具５００に、ミラーキャビネット６００の下端部を、上方からスライド嵌合させることによって鏡６０１を壁面４００に沿って取り付けるようにした構造が既に提案されている（特許文献１参照）。
【０００５】
【特許文献１】特開平１０−２９０７１９号公報
【０００６】
しかしながら、上記したように、従来、物品載置棚と、鏡などの他の部材とは、壁面に個別に取り付けられるようになっている。したがって、壁面への固定部材の点数がたくさん必要であるとともに、外観品質も一体性を得ていないため、物品載置棚およびミラーキャビネットのデザインや大きさが変わるごとに固定部材も大きさや構造の異なるものを用意しなければならず、コスト高となる。また、物品載置棚と、鏡など他の壁面取付部材毎に位置出しやレベル合わせが必要で、取付作業に時間を要するという問題がある。
【発明の開示】
【発明が解決しようとする課題】
【０００７】
本発明は、上記事情に鑑みて、浴室や洗面室等の壁面に、棚と、鏡等の他の被支持部材とを作業性よく取り付けることができるとともに、汎用性が高く、棚と、鏡やフック等の他の被支持部材のバリエーションを増やすだけで、コストをあまりかけずに、物品載置棚のバリエーションを増やすことができる棚板支持具を提供することを目的としている。
【課題を解決するための手段】
【０００８】
上記目的を達成するために、本発明の請求項１に記載の棚板支持具（以下、「請求項１の棚板支持具」と記す）は、壁面に固定されるとともに、被支持部材の一部が入り込むことによって、被支持部材が支持される支持溝を複数備えることを特徴としている。
【０００９】
本発明の請求項２に記載の棚板支持具（以下、「請求項２の棚板支持具」と記す）は、請求項１の棚板支持具において、支持溝で支持される被支持部材が少なくとも棚板であることを特徴としている。
【００１０】
本発明の請求項３に記載の棚板支持具（以下、「請求項３の棚板支持具」と記す）は、
請求項１または請求項２の棚板支持具において、支持溝の少なくとも１つが、溝の長手方向に連続する溝内壁の一部に溝の底に平行に連続する突部を有するとともに、溝の長手方向の少なくとも一端が開放された支持具本体と、支持具本体の長手方向の開放端を閉鎖する蓋部材と、を備えていることを特徴としている。
【００１１】
本発明の請求項４に記載の棚板支持具（以下、「請求項４の棚板支持具」と記す）は、
請求項３の棚板支持具において、蓋部材が支持具本体に着脱自在であることを特徴としている。
【００１２】
本発明の請求項５に記載の棚板支持具（以下、「請求項５の棚板支持具」と記す）は、
請求項３または請求項４の棚板支持具において、支持具本体が押出成形品であることを特徴としている。
【００１３】
本発明の棚板支持具の材質としては、支持する棚板や鏡等の荷重に耐えることができれば、特に限定されないが、たとえば、支持具本体の材質として、アルミニウム、真鍮等の金属材料およびその表面にメッキを施したもの、ＡＢＳ樹脂（アクリロニトリル−ブタジエン−スチレン共重合体），ＡＥＳ樹脂（アクリロニトリル−エチレン・プロピレンゴム−スチレン共重合体）、ＰＶＣ（ポリ塩化ビニル）等の樹脂およびその表面にメッキを施したもの等が挙げられる。
【００１４】
棚板支持具の製造方法としては、特に限定されないが、たとえば、支持具本体の製造方法として、アルミニウムなどの金属材料の場合、押出成形、鋳型成形等が挙げられ、樹脂材料の場合、押出成形、射出成形等が挙げられる。が、請求項５の棚板支持具のように押出成形で製造することが好ましい。
【発明の効果】
【００１５】
以上のように、請求項１および請求項２の棚板支持具は、壁面に固定されるとともに、被支持部材の一部が入り込むことによって、被支持部材が支持される支持溝を複数備えるので、棚板支持具の位置合わせおよびレベル合わせを行なうだけで、棚板と、他の被支持部材とを、この棚板支持具を用いて壁面の所定位置に簡単に取り付けることができる。
【００１６】
請求項３の棚板支持具は、支持溝の少なくとも１つが、溝の長手方向に連続する溝内壁の一部に溝の底に平行に連続する突部を有するとともに、溝の長手方向の少なくとも一端が開放された支持具本体と、支持具本体の長手方向の開放端を閉鎖する蓋部材と、を備えているので、棚板あるいはその他の被支持部材の支持溝に入り込む部分の横断面形状を溝の横断面形状と略同じか少し小さめの略相似形状とすれば、溝の長手方向の開放端側から、被支持部材の支持溝に入り込む部分を溝にスライド嵌合させることによって、突部が被支持部材の支持溝に入り込む部分の対応する部分に設けられた溝状の凹部に係合する。したがって、棚板あるいは被支持部材が外れない状態に容易に取り付けることができるとともに、被支持部材が溝の長さより幅の狭いものであったら、スライドによって、水平位置を変更自在とすることができる。
【００１７】
請求項４の棚板支持具は、蓋部材が支持具本体に着脱自在であるので、蓋部材を取り外せば、被支持部材を交換したり、支持溝部分の清掃が容易となる。
【００１８】
請求項５の棚板支持具は、支持具本体が押出成形品であるので、長尺に成形しておき、必要な長さにカットすることで、いろいろの長さの棚板支持具を無駄なく得ることができ、使用背景や用途に応じたバリエーション展開をより低コストで提供することが可能となる。すなわち、鏡や棚板のサイズ違いにも対応が可能になる。
【発明を実施するための最良の形態】
【００１９】
以下に、本発明を、その実施の形態をあらわす図面を参照しつつ詳しく説明する。
図１および図２は、本発明にかかる棚板支持具の第１の実施の形態をあらわしている。
【００２０】
図１に示すように、この棚板支持具１ａは、支持具本体１０と、蓋部材１９とを備えている。
支持具本体１０は、アルミニウムを押出成形することによって形成され、壁面への固定面１１と、この固定面１１と逆方向に入口を有する棚板を支持する棚板支持溝１２と、固定面１１に平行な向きに入口を有する他の被支持部材を支持する被支持部材支持溝１３と、棚板支持溝１２および被支持部材支持溝１３に平行な２つの中空部１４、１５とを備えていて、長手方向の両端が開放している。
棚板支持溝１２は、溝の最も底部（固定面１１側）を除き、溝の幅が支持される棚板の嵌合部の厚みと略同じに形成され、溝の最も底部がその他の部分より幅広になっている。
被支持部材支持溝１３は、溝内壁の溝の深さ方向の上端に、溝の中央方向に向かって両側壁から突出する係止突部１６、１７を溝の底に平行に連続して備えている。
【００２１】
蓋部材１９は、合成樹脂エラストマーで形成されていて、図示していないが、略中空部１４、１５の横断面形状と略同じか少し大きめをした２つの突部を備え、この突部をそれぞれ中空部１４、１５に圧入することによって、図１に示すように、支持具本体１０の長手方向の開放端を閉じるように支持具本体１０に取り付けられるようになっている。
【００２２】
つぎに、この棚板支持具１ａの使用例を詳しく説明する。
図３および図４は、この棚板支持具１ａの使用の１例である鏡付きの物品載置棚をあらわしている。
【００２３】
図３および図４に示すように、この物品載置棚Ａは、棚板支持具１ａと、物品載置部となる棚板２ａと、被支持部材である鏡３とを備え、以下のようにして壁面Ｗに取り付けることができる。
すなわち、棚板支持具１ａは、支持具本体１０を、鏡３の幅方向の長さか、少し長い長さに切断したのち、棚板支持溝１２の被支持部材支持溝１３と反対側（取付時に下側となる側）の溝側壁面に後述する棚板２ａを固定するビス４ａの挿通孔１５を、ドリル等を用いて穿設する。
【００２４】
そして、被支持部材支持溝１３の入口である深さ方向の上端が上側に向くようにして浴室や洗面室等の壁面Ｗの物品載置棚Ａの取付位置に固定面１１を押し当て、棚板支持溝１２の底部分からビス４ｂを壁面Ｗにねじ込み、支持具本体１０を壁面Ｗに固定するとともに、支持具本体１０に蓋部材１９を取り付ける。
【００２５】
つぎに、以下のようにして棚板２ａが取り付けられる。なお、棚板２ａは、たとえば、ＡＳ樹脂（アクリロニトリル−スチレン共重合体）等の合成樹脂やガラス等で形成されていて、長手方向が棚板支持溝１２より長くなっていて、一方の長辺側に棚板支持溝１２に嵌り込む嵌合部２０が設けられている。嵌合部２０には、ビス４ａが螺合するねじ孔２０ａが設けられている。棚板２ａの嵌合部２０の両側には、図示していないが、蓋部材１９が嵌り込む切欠溝が形成されている。
そして、この棚板２ａは、嵌合部２０を棚板支持溝１２に嵌合させたのち、挿通孔１５を介してビス４ａを棚板２ａのねじ孔２０ａにねじ込むことによって棚板支持具１ａに固定される。
【００２６】
一方、鏡３は、鏡３の下端部が被支持部材支持溝１３に上方から差し入れられるとともに、鏡３の上端部が鏡固定部材３１によって押えられ、鏡固定部材３１が壁面Ｗにビス（図示せず）で固定されることによって壁面Ｗに沿うように固定される。
なお、棚板２ａと鏡３の固定順序は逆でも構わない。
【００２７】
図５および図６は、上記棚板支持具１ａの使用の他の例であるフック付き物品載置棚をあらわしている。
図５および図６に示すように、このフック付き物品載置棚Ｂは、上記棚板支持具１ａと、柵２１付きの棚板２ｂと、被支持部材である２つのフック５とを備えている。
【００２８】
フック５は、鉤状になったフック本体部５１と、このフック本体部５１の上端に設けられたスライド嵌合部５２とを備えている。スライド嵌合部５２は、被支持部材支持溝１３の断面形状と略同じ形状をしている。
そして、このフック付き物品載置棚Ｂは、以下のようにして壁面Ｗに取り付けることができる。
【００２９】
まず、支持具本体１０を、所定の長さに切断し、被支持部材支持溝１３の端から２つのフック５のスライド嵌合部５２を被支持部材支持溝１３にそれぞれスライド嵌合させたのち、棚板支持溝１２の被支持部材支持溝１３側（取付時に下側となる側）の溝側壁面に後述する棚板２ｂを固定するビス４ａの挿通孔１５を、ドリル等を用いて穿設する。上記物品載置棚Ａの場合と同様に、両端の開口端を閉じるように合成樹脂エラストマー製の蓋部材１９を支持具本体１０に取り付ける。すなわち、フック５は、スライド嵌合部５２が係止突部１６、１７によって係止されるため、被支持部材支持溝１３の長手方向にはスライドするが、被支持部材支持溝１３から抜け落ちることがない。
【００３０】
つぎに、被支持部材支持溝１３の開口が下側に向くようにして浴室や洗面室等の壁面Ｗの物品載置棚Ａの取付位置に固定面１１を押し当て、棚板支持溝１２の底部分からビス４ｂを壁面Ｗにねじ込み、棚板支持具１ａを壁面Ｗに固定する。
最後に物品載置棚Ａの場合と同様にして、棚板２ｂの嵌合部２０を、棚板支持溝１２に嵌合させたのち、挿通孔１５を介してビス４ａを棚板２ｂのねじ孔２０ａにねじ込み、棚板２ｂを棚板支持具１ａに固定する。
【００３１】
以上のように、上記棚板支持具１ａを用いれば、被支持部材支持溝１３の上下位置を反転させることによって、棚板２ａの上方に鏡３を取り付けたり、棚板２ｂの下方にフック５を取り付けたりすることができる。
すなわち、浴室や洗面室等の壁面Ｗに、棚板２ａ（２ｂ）と、鏡３やフック５等の他の被支持部材とを作業性よく取り付けることができるとともに、汎用性が高く、棚と、鏡等の被支持部材のバリエーションを増やすだけで、コストをあまりかけずに、物品載置棚のバリエーションを増やすことができる。すなわち、同一意匠や意匠違いのアイテムを、投資を抑えて設定することができる。
【００３２】
また、切断によって支持具本体１０の長さを自由に調節することができるので、鏡や棚板のサイズ違いにも対応が可能になる。
一方、上記の物品載置棚Ａ，Ｂは、棚板２ａが別体で構成されているため、意匠・機能により好みの物品載置棚とすることができるとともに、ビス４ａを取り外すだけで棚板２ａが容易に取り外せるので、清掃性に優れている。
【００３３】
被支持部材支持溝の上下が反転するように取り付けることによって、棚板の上側に鏡等を取り付けたり、棚板の下側にフック等を取り付けたりと、被支持部材の取り付け姿勢を選択できる。すなわち、使用背景や用途に応じたバリエーション展開を低コストで提供することが可能となる。
【００３４】
また、棚板支持溝および被支持部材支持溝の長手方向の両端が外部に開放しているので、棚板支持具より幅の大きな棚板や被支持部材も取り付けることができるとともに、溝の両端の開口から棚板の端部や被支持部材の端部をスライド嵌合させることができる。
さらに、蓋部材１９が合成樹脂エラストマーで形成され、蓋部材１９の突部をそれぞれ中空部１４、１５に圧入することによって棚板支持具１ａに取り付けられるようになっているので、蓋部材１９が容易に着脱でき、フックの増減等を容易に行なうことができる。
【００３５】
図７は、本発明にかかる棚板支持具の第２の実施の形態をあらわしている。
図７に示すように、この棚板支持具１ｂは、支持具本体１０ａが上記支持具本体１０の被支持部材支持溝１３と同一形状をした２つの被支持部材支持溝１３と中空部１４とを棚板支持溝１２を挟んで対称位置にそれぞれ１つずつ備えている以外は、上記棚板支持具１ａと同様になっている。
【００３６】
図８および図９は、上記棚板支持具１ｂの使用の１例である物品載置棚Ｃをあらわしている。
図８および図９に示すように、この物品載置棚Ｃは、棚板支持具１ｂと、鏡３と、２つのフック５とを備えている。
【００３７】
そして、まず、上記物品載置棚Ｂの場合と同様にして支持具本体１０ａの一方の被支持部材支持溝１３にフック５のスライド嵌合部５２をスライド嵌合させて、支持具本体１０ａに蓋部材１９を取り付けた後、棚板支持具１ｂを壁面Ｗに固定し、上記物品載置棚Ａの場合と同様にして棚板２ａおよび鏡３を取り付けるようになっている。
【００３８】
この棚板支持具１ｂは、以上のように、２つの被支持部材支持溝１３を備えているので、棚板２ａ以外に、２つの被支持部材を支持固定できるので、コストをあまりかけずに、物品載置棚のバリエーションをさらに増やすことができる。
その他は、上記棚板支持具１ａと同様の効果を備えている。
【００３９】
本発明にかかる棚板支持具は、上記の実施の形態に限定されない。たとえば、上記第２の実施の形態では、２つの被支持部材支持溝が対称位置にかつ対称形状に設けられていたが対称位置あるいは対称形状でなくても構わない。
【００４０】
また、上記の第２の実施の形態では、一方の被支持部材支持溝に鏡を支持させ、他方の
被支持部材支持溝にフックを支持させるようにしていたが、いずれか一方でも構わない。一方しか使用しない場合、使用しない被支持部材支持溝は、キャップ等で塞ぐようにしても構わない。
さらに、物品載置棚としては、フックに代えてフックと同様のスライド嵌合部を上端に有する吊り下げ棚などを設けることも可能である。
【００４１】
上記の実施の形態では、蓋部材が圧入によって棚板支持具に取り付けられるようになっていたが、接着や融着により取り付けるようにしても構わない。
上記の実施の形態では、中空部に蓋部材の突部を圧入するようになっていたが、被支持部材支持溝の端部にも突部を圧入する構造としても構わない。
【００４２】
上記の実施の形態では、係止突部が被支持部材支持溝の両側壁から突出していたが、フック等の被支持部材を外れないように係止できれば１つでも構わないし、溝内壁の溝の深さ方向の中間部に設けられていても構わない。
【図面の簡単な説明】
【００４３】
【図１】本発明にかかる棚板支持具の第１の実施の形態をあらわす斜視図である。
【図２】図１の棚板支持具の支持具本体を説明する斜視図である。
【図３】図１の棚板支持具の使用による物品載置棚の１例をあらわす斜視図である。
【図４】図３の要部断面図である
【図５】図１の棚板支持具の使用による物品載置棚の他の例をあらわす斜視図である。
【図６】図５の要部断面図である。
【図７】本発明にかかる棚板支持具の第２の実施の形態をあらわす斜視図である。
【図８】図７の棚板支持具の使用による物品載置棚の１例をあらわす斜視図である。
【図９】図８の要部断面図である。
【図１０】従来の物品載置棚の１例をあらわす斜視図である。
【図１１】図１０の物品載置棚の壁面固定状態の断面図である。
【図１２】従来のミラーギャビネットの壁面取付構造をあらわす断面図である。
【符号の説明】
【００４４】
Ａ，Ｂ，Ｃ  物品載置棚
１ａ，１ｂ  棚板支持具
１０，１０ａ  支持具本体
１１  固定面
１２  棚板支持溝
１３  被支持部材支持溝
１９  蓋部材
２ａ，２ｂ  棚板
２０  嵌合部（被支持部材の一部）
３  鏡（被支持部材）
５  フック（被支持部材）
【図１】
2008125526.tif 000003
【図２】
2008125526.tif 000004
【図３】
2008125526.tif 000005
【図４】
2008125526.tif 000006
【図５】
2008125526.tif 000007
【図６】
2008125526.tif 000008
【図７】
2008125526.tif 000009
【図８】
2008125526.tif 000010
【図９】
2008125526.tif 000011
【図１０】
2008125526.tif 000012
【図１１】
2008125526.tif 000013
【図１２】
2008125526.tif 000014